(57)【要約】  【課題】アスファルト乳剤の散布ムラの発生を抑えて散布量を均等化させ、また必要な乳剤量を正確に散布する。  【解決手段】走行車両の幅方向に並設した複数個の散布ノズル１，…におけるアスファルト乳剤の散布動作を、個々の散布ノズル１について独立に制御するように構成し、個々の散布ノズル１は、周期的に所定時間だけアスファルト乳剤の散布動作を実行するようにした。【選択図】図１
2006291606.tif 000002
【特許請求の範囲】
【請求項１】
走行車両の幅方向に並設された複数個の散布ノズルを備え、該複数個の散布ノズルにおけるアスファルト乳剤の散布動作を、当該複数個の散布ノズルにおける個々の散布ノズルについて独立に制御するように構成してなることを特徴とする乳剤散布装置。
【請求項２】
上記個々の散布ノズルは、周期的に所定時間だけ上記アスファルト乳剤の散布動作を実行することを特徴とする請求項１記載の乳剤散布装置。
【請求項３】
上記個々の散布ノズルにおける上記所定時間内のアスファルト乳剤の散布量は、上記複数個の散布ノズルの全てが一周期間に同時に連続して散布する場合における前記個々の散布ノズルの散布量と同量であることを特徴とする請求項２記載の乳剤散布装置。
【発明の詳細な説明】
【技術分野】
【０００１】
本発明は、乳剤散布装置に関するものであり、特に、アスファルト乳剤の散布ムラの発生を抑えて散布量を均等化させることが可能な乳剤散布装置に関するものである。
【背景技術】
【０００２】
従来の乳剤散布装置としては、例えば、図３に示すようなものがある。同図において、アスファルトフィニッシャ等の走行車両の下部に、複数個（同図の例では１０個）の散布ノズル１，…が、該走行車両の幅方向にほぼ等間隔に並設されている。複数個の散布ノズル１，…には、それぞれ常閉タイプの電磁制御弁２，…が直列に接続されている。複数個の電磁制御弁２，…は、その供給ポート２ａ，…が共通接続され、その共通接続点３に、アスファルト乳剤が収容された乳剤タンク４からの乳剤配管５が乳剤ポンプ６を介して接続されている。
【０００３】
該乳剤ポンプ６には、リリーフ弁７が並列接続されている。リリーフ弁７は、乳剤ポンプ６の吐出側の圧力が予め設定した圧力よりも増大したときに、その吐出側の圧力を乳剤タンク４側にリリーフする。また、アスファルト乳剤の散布開始／停止を制御するためのコントローラ８が配設され、該コントローラ８からの指令信号線９が複数個の電磁制御弁２，…の各ソレノイド２ｂ，…に共通に接続されている。
【０００４】
そして、コントローラ８からの散布開始指令が複数個の電磁制御弁２，…の各ソレノイド２ｂ，…に与えられると、該複数個の電磁制御弁２，…の全てが閉位置Ｘから開位置Ｙに同時に切り換わる。この結果、図４に示すように、乳剤ポンプ６で加圧されたアスファルト乳剤が、複数個の散布ノズル１，…の全てに分配されるように並列に供給されて、該複数個の散布ノズル１，…の全てから路面に同時に連続散布される。
【０００５】
また、乳剤散布装置に関連する従来技術として、例えば次のような乳剤散布装置及び乳剤散布方法が知られている。この従来技術は、それぞれ開閉手段によって開閉される複数の散布ノズルが、走行車両の走行方向と交差する方向に並設されている。そして、前記複数の散布ノズルに乳剤タンクの乳剤を供給する乳剤ポンプと、前記複数の散布ノズルからの乳剤散布量が設定値となるように当該複数の散布ノズル及び前記乳剤ポンプを制御する制御装置とが備えられている。
【０００６】
該制御装置は、路面への乳剤散布量が限界散布量よりも多い場合は、全ての散布ノズルを通常散布（連続散布）に設定するとともに乳剤ポンプの回転速度を制御して乳剤送り量を調整する。一方、乳剤散布量が限界散布量以下とされた場合は、全ての散布ノズルを同時に開閉制御して間欠散布を実行させるようにしている。また、間欠散布の場合は、複数の散布ノズルを幾つかの群に分け、各群ごとに時間をずらして開閉させるようにもしている（例えば、特許文献１参照）。
【特許文献１】特開平１０−２３７８１７号公報（第２〜４頁、図１、図２）。
【発明の開示】
【発明が解決しようとする課題】
【０００７】
図３及び図４に示した従来技術においては、コントローラからの散布開始指令を複数個の電磁制御弁の各ソレノイドに同時に与えて、該複数個の電磁制御弁の全てを閉位置から開位置に同時に切り換えている。そして、一つの乳剤ポンプからのアスファルト乳剤を、複数個の散布ノズルの全てに分配するように並列に供給して、該複数個の散布ノズルの全てから路面に同時に連続散布させている。
【０００８】
このような複数個の散布ノズル同時の連続散布態様で、アスファルト乳剤を路面に均一に散布するためには、各散布ノズルからの散布量が同量であることが必要である。しかし、複数個の散布ノズル間に個体差があると、散布ノズル毎の散布量にバラつきが生じて散布ムラが発生してしまう。特に複数個の散布ノズルのうちの一部に目詰まり傾向が生じた場合は、散布ノズル毎の散布量にバラつきが生じ易い。
【０００９】
また、特許文献１に記載の従来技術においては、全ての散布ノズルを通常散布（連続散布）に設定するか、もしくは全ての散布ノズルを同時に開閉制御して間欠散布を実行させている。また、間欠散布の際は、幾つかに分けた各群ごとに時間をずらして開閉させることも行っているが、この場合も、各群の中に含まれる複数個の散布ノズルを同時に開閉制御させている。このため、上記図３及び図４に示した従来技術と同様に、複数個の散布ノズル間に個体差があると、散布ノズル毎の散布量にバラつきが生じてしまう。
【００１０】
そこで、アスファルト乳剤の散布ムラの発生を抑えて散布量を均等化させ、また必要な乳剤量を正確に散布するために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、走行車両の幅方向に並設された複数個の散布ノズルを備え、該複数個の散布ノズルにおけるアスファルト乳剤の散布動作を、当該複数個の散布ノズルにおける個々の散布ノズルについて独立に制御するように構成してなる乳剤散布装置を提供する。
【００１２】
この構成によれば、個々の散布ノズルについて、その散布動作を独立に制御することで、複数個並設された各散布ノズルから、所定時間ずつ順にアスファルト乳剤の散布動作を行わせることが可能となる。このとき、乳剤ポンプ等から吐出されて複数個の散布ノズルの全てから同時に散布されるべきアスファルト乳剤の全量が、各散布ノズルから所定時間ずつ順に散布されることになる。したがって、複数個の散布ノズルの全てから同時に散布を行う際の散布ノズル毎の個体差に基因する散布ムラの発生が抑えられる。
【００１３】
請求項２記載の発明は、上記個々の散布ノズルは、周期的に所定時間だけ上記アスファルト乳剤の散布動作を実行する乳剤散布装置を提供する。
【００１４】
この構成によれば、例えば、複数個の散布ノズル数ｎを１０個、一周期Ｔを２秒と設定すると、個々の散布ノズルは、該２秒を一周期Ｔとして、所定時間ｔ＝［（Ｔ／ｎ）＝（２／１０）］＝０．２秒間だけ周期的に散布動作を実行するように制御される。そして、１０個の散布ノズルの全てから同時に連続して散布されるべきアスファルト乳剤の全量とほぼ同量のアスファルト乳剤量が、各散布ノズルからの０．２秒間ずつの順の散布動作で、散布されることになる。この結果、一周期Ｔを上記のように短く設定することで、必要量のアスファルト乳剤の散布に際し、複数個の散布ノズルの全てから同時に散布を行う際の散布ノズル毎の個体差に基因する散布ムラの発生が抑えられる。
【００１５】
請求項３記載の発明は、上記個々の散布ノズルにおける上記所定時間内のアスファルト乳剤の散布量は、上記複数個の散布ノズルの全てが一周期間に同時に連続して散布する場合における前記個々の散布ノズルの散布量と同量である乳剤散布装置を提供する。
【００１６】
この構成によれば、個々の散布ノズルからの所定時間ずつの順の散布動作で、複数個の散布ノズルの全てから同時に連続して散布されるべきアスファルト乳剤の全量と同量のアスファルト乳剤量が散布される。
【発明の効果】
【００１７】
請求項１記載の発明は、走行車両の幅方向に並設された複数個の散布ノズルを備え、該複数個の散布ノズルにおけるアスファルト乳剤の散布動作を、当該複数個の散布ノズルにおける個々の散布ノズルについて独立に制御するように構成したので、複数個の散布ノズルの全てから同時に連続して散布すべきアスファルト乳剤の全量を、個々の散布ノズルから所定時間ずつ順に散布するように制御することで、複数個の散布ノズルの全てから同時に散布を行う際の散布ノズル毎の個体差に基因する散布ムラの発生が抑えられて、アスファルト乳剤散布量を均等化させることができるという利点がある。
【００１８】
請求項２記載の発明は、上記個々の散布ノズルは、周期的に所定時間だけ上記アスファルト乳剤の散布動作を実行するようにしたので、一周期を、可能な限り短く設定することで、必要量のアスファルト乳剤の散布に際し、複数個の散布ノズルの全てから同時に散布を行う際の散布ノズル毎の個体差に基因する散布ムラの発生が抑えられて、アスファルト乳剤散布量を一層均等化させることができるという利点がある。
【００１９】
請求項３記載の発明は、上記個々の散布ノズルにおける上記所定時間内のアスファルト乳剤の散布量は、上記複数個の散布ノズルの全てが一周期間に同時に連続して散布する場合における前記個々の散布ノズルの散布量と同量としたので、個々の散布ノズルからの所定時間ずつの順の散布動作で、複数個の散布ノズルの全てから同時に連続して散布されるべきアスファルト乳剤の全量と同量のアスファルト乳剤量を正確に散布することができるという利点がある。
【発明を実施するための最良の形態】
【００２０】
アスファルト乳剤の散布ムラの発生を抑えて散布量を均等化させ、また必要な乳剤量を正確に散布するという目的を、走行車両の幅方向に並設された複数個の散布ノズルを備え、該複数個の散布ノズルにおけるアスファルト乳剤の散布動作を、当該複数個の散布ノズルにおける個々の散布ノズルについて独立に制御するように構成し、該個々の散布ノズルは、周期的に所定時間だけ前記アスファルト乳剤の散布動作を実行するとともに前記所定時間内のアスファルト乳剤の散布量は、前記複数個の散布ノズルの全てが一周期間に同時に連続して散布する場合における前記個々の散布ノズルの散布量と同量とすることにより実現した。
【実施例１】
【００２１】
以下、本発明の実施例を図面に従って詳述する。図１は、乳剤散布装置の系統図、図２は、アスファルト乳剤の散布タイミングチャートである。なお、図１において前記図３における構成要素と同一ないし均等のものは、前記と同一符号を以って示し、重複した説明を省略する。
【００２２】
まず、本実施例に係る乳剤散布装置の構成を説明する。図１に示すように、本実施例では、コントローラ８から複数個の電磁制御弁２，…の各ソレノイド２ｂ，…に対し、各別に指令信号線１０，…が接続されている。この接続態様により、前記複数個の電磁制御弁２，…が各別に開閉可能とされることで、複数個の散布ノズル１，…におけるアスファルト乳剤の散布動作が、個々の散布ノズル１について独立に制御可能に構成されている。
【００２３】
次に、図２を用いて、上述のように構成された乳剤散布装置の作用を説明する。乳剤散布装置は、散布ノズル１毎の個体差に基因する散布ムラの発生を抑えることを目的として、コントローラ８からの指令により、個々の散布ノズル１について、周期的に所定時間ずつ順にアスファルト乳剤の散布動作を実行している。
【００２４】
このとき、単一の乳剤ポンプ６から吐出されて複数個の散布ノズル１，…から同時に散布されるべきアスファルト乳剤量が、個々の散布ノズル１から周期的に所定時間ずつ順に散布されることになる。したがって、１個の散布ノズル１からの単位時間当たりのアスファルト乳剤の吐出量について見ると、個々の散布ノズル１から前記所定時間に散布される場合の単位時間当たりの吐出量は、複数個の散布ノズル１，…の全てが同時に散布する場合における各散布ノズル１からの単位時間当たりの吐出量と比べて複数倍となる。
【００２５】
この結果、周期的に散布動作を実行する場合における個々の散布ノズル１の前記所定時間内のアスファルト乳剤の散布量は、複数個の散布ノズル１，…の全てが同時に一周期間に連続して散布する場合における１個の散布ノズル１の散布量と同量となる。
【００２６】
これを、数値例を用いて、さらに具体的に説明する。いま、複数個の散布ノズル数ｎを図１に示すように１０個、一周期Ｔを２秒と設定すると、個々の散布ノズル１は、該２秒を一周期Ｔとして、所定時間ｔ＝［（Ｔ／ｎ）＝（２／１０）］＝０．２秒間だけ周期的に散布動作を実行する。
【００２７】
このとき、複数個の散布ノズル１，…の全てが同時に散布する場合における各散布ノズル１からの単位時間当たりの吐出量をｑ（前記図４参照）とすると、周期的に散布動作を実行する個々の散布ノズル１が、所定時間ｔ＝０．２秒の間に散布する場合における単位時間当たりの吐出量は、図２に示すように１０・ｑとなる。
【００２８】
そして、１０個の散布ノズル１，…の全てから同時に連続して散布されるべきアスファルト乳剤の全量とほぼ同量のアスファルト乳剤量が、各散布ノズル１からの０．２秒間ずつの順の散布動作で、散布されることになる。この結果、一周期Ｔを上記のように短く設定することで、必要量のアスファルト乳剤の散布に際し、複数個の散布ノズル１，…の全てから同時に散布を行う際の散布ノズル１毎の個体差に基因する散布ムラの発生が抑えられる。
【００２９】
上述したように、本実施例に係る乳剤散布装置においては、単一の乳剤ポンプ６から吐出されて複数個の散布ノズル１，…の全てから同時に散布すべきアスファルト乳剤量を、個々の散布ノズル１から周期的に所定時間ｔずつ順に散布することで、散布ノズル１毎の個体差に基因する散布ムラの発生を抑えることができる。
【００３０】
また、周期的に散布動作を実行する場合における個々の散布ノズル１の所定時間ｔ内のアスファルト乳剤の散布量が、複数個の散布ノズル１，…の全てが同時に一周期間Ｔに連続して散布する場合における１個の散布ノズル１の散布量と同量となることで、個々の散布ノズル１からの所定時間ｔずつの順の散布動作で、複数個の散布ノズル１，…の全てから同時に散布されるべきアスファルト乳剤の全量と同量のアスファルト乳剤量を正確に散布することができる。
【００３１】
なお、本発明は、本発明の精神を逸脱しない限り種々の改変をなすことができ、そして、本発明が該改変されたものにも及ぶことは当然である。
【図面の簡単な説明】
【００３２】
【図１】本発明の実施例に係る乳剤散布装置の系統図。
【図２】上記実施例におけるアスファルト乳剤の散布タイミングチャート。
【図３】従来の乳剤散布装置の系統図。
【図４】上記従来例におけるアスファルト乳剤の散布タイミングチャート。
【符号の説明】
【００３３】
１    散布ノズル
２    電磁制御弁
８    コントローラ
１０    各別の指令信号線 
【図１】
2006291606.tif 000003
【図２】
2006291606.tif 000004
【図３】
2006291606.tif 000005
【図４】
2006291606.tif 000006